(57)【要約】【課題】    雨や雪の日に使用する雨具等（例えば、傘、レーン・コート、レーン・シューズ、レーン・ハット、スキーウェア、バッグ類）自体を、雨や雪で、濡れないようにする。【解決手段】水分浸透や水滴の付着によって、雨や雪の日に使用する雨具等が濡れないようにするには、雨水と、蓮の葉及び里芋の葉の表面との関係と同じく、水滴が雨具等の表地にあっても、表地に付着している訳ではなく、乗っているだけで、表地が乾いた状態にするために、それ自体が水を弾いて濡れない、フッ素樹脂繊維、フッ素樹脂フィルム、シリコーン繊維又はシリコーンフィルムを雨具等の生地の表面に結合させて一体化する。【選択図】  図１３
2006348452.tif 000002
【特許請求の範囲】
【請求項１】
フッ素樹脂繊維、フッ素樹脂フィルム、シリコーン繊維又はシリコーンフィルムを、傘、レーン・コート、レーン・シューズ、レーン・ハット、スキーウェア又はバッグ等の生地として使用した、以上のことを特徴とする濡れない雨具等。
【請求項２】
フッ素樹脂繊維、フッ素樹脂フィルム、シリコーン繊維又はシリコーンフィルムを、繊維と結合させて一体化したもので、傘、レーン・コート、レーン・シューズ、レーン・ハット、スキーウェア又はバッグ等の生地として使用した、以上のことを特徴とする濡れない雨具等。
【請求項３】
フッ素樹脂繊維、フッ素樹脂フィルム、シリコーン繊維又はシリコーンフィルムを、フィルムと結合させて一体化したもので、傘、レーン・コート、レーン・シューズ、レーン・ハット、スキーウェア又はバッグ等の生地として使用した、以上のことを特徴とする濡れない雨具等。
【請求項４】
フッ素樹脂繊維、フッ素樹脂フィルム、シリコーン繊維又はシリコーンフィルムを、既存の、傘、レーン・コート、レーン・シューズ、レーン・ハット、スキーウェア又はバッグ等の生地の表面に結合させて一体化した、以上のことを特徴とする濡れない雨具等。
【発明の詳細な説明】
【技術分野】
【０００１】  本発明は、雨や雪の日に使用する、傘、レーン・コート、レーン・シューズ、レーン・ハット、スキーウェア又はバッグ等の、濡れない雨具、濡れない衣類及び濡れないバッグ等に関する技術分野である。
【背景技術】
【０００２】  現在、雨や雪の日に使用する、撥水加工又は防水加工をされている雨具等（例えば、傘、レーン・コート、レーン・シューズ、レーン・ハット、スキーウェア、バッグ類）は、撥水加工又は防水加工であるので、時間が経つと撥水効果又は防水効果が薄れてしまう。そのため、撥水効果又は防水効果を持続させるには、繰り返し、撥水スプレー又は防水スプレー等を使用しなければならない。また、撥水スプレー又は防水スプレー等を使用しても、内部の繊維等に水が浸透して、繊維やフィルムが濡れてしまう。【０００３】  例えば、雨や雪などで傘を使用した場合、室内や乗り物などに濡れた傘を持ち込むことがある。水滴を振り落とすために、濡れた傘を振っても、多くの水滴が傘に付着しているので、室内や乗り物等に持ち込んだとき、床や服等が濡れてしまうことが多多ある。【０００４】  例えば、スキー等、冬季のスポーツで使用するウェアやグローブの場合、撥水加工又は防水加工をされているが、時間が経つと撥水効果又は防水効果が薄れてしまい、水や雪が染み込んでしまう。そのため、スキー場まで、撥水スプレー又は防水スプレー等を持って行く人も多い。特に、スノーボードをする人の場合、スキーと違って、立ったまま板を装着せずに、雪の上に座って板を装着することが多いので、尻の部分が雪で濡れてしまっている人をスキー場で見かける。【０００５】  例えば、雨や雪の日に、バッグ類を使用する場合は、ビニールの袋に入れたり、ビニールのカバー等をしないと、撥水加工又は防水加工をされていても、バッグ類の縫い目から、内部の繊維等に水が浸透して、バッグも中身も濡れてしまう。また、登山用のリュックサック等には、雨天時専用のカバーが付いているものがある。【０００６】  例えば、超高密度ポリエステルを使った、濡れない傘として発売されているものがあるが、この傘は、時間の経過と共に、濡れるようになってしまい、張り替える必要がある。【０００７】  なお、従来の技術としては、ゴルフ用クラブのシャフト又はグリップを保持するようにした傘（例えば、特許文献１参照。）。また、自転車用雨具（例えば、特許文献２参照。）。また、伸縮性を有する素材で形成した、スキーウェア（例えば、特許文献３参照。）。しかし、傘、レーン・コート、レーン・シューズ、レーン・ハット、スキーウェア又はバッグ等自体が濡れない発明はない。
【特許文献１】  特許第２５８８１２３号公報
【特許文献２】  特許第２７０６４２５号公報
【特許文献３】  特許第２７３２３９４号公報
【発明の開示】
【発明が解決しようとする課題】
【０００８】  雨や雪の日に使用する雨具等（例えば、傘、レーン・コート、レーン・シューズ、レーン・ハット、スキーウェア又はバッグ類）自体を、雨や雪で、濡れないようにする。
【課題を解決するための手段】
【０００９】  固体の表面に水が付着する状態、又は、固体の中に水が浸透した状態を、濡れと言う。【００１０】  蓮の葉及び里芋の葉の表面には、水に濡れにくいロウのような物質が分泌されていて、雨が降ると、雨水は葉の表面で弾かれて、球形になる。葉を傾けると、球形になった水滴は、簡単に葉から落ちる。また、水滴が葉の表面にあっても、水滴は葉の表面に付着している訳ではなく、乗っているだけなので、葉の表面は、濡れている状態ではない。【００１１】  雨水と、蓮の葉及び里芋の葉の表面との関係と同じ状態にするには、それ自体が雨を弾くことで雨に濡れない、フッ素樹脂繊維、フッ素樹脂フィルム、シリコーン繊維又はシリコーンフィルムを雨具等に使用する。
【発明の効果】
【００１２】  フッ素樹脂繊維、フッ素樹脂フィルム、シリコーン繊維又はシリコーンフィルムを雨具等に使用することにより、雨具等が、蓮の葉及び里芋の葉の表面との関係と同じ、濡れない状態になると、雨具等を室内や乗り物等に持ち込んでも、床や服等が濡れない。
【発明の実施するための最良の形態】
【００１３】  発明の実施するための最良の形態を図面を参照して説明する。
図１において、フッ素樹脂繊維Ａである。
【００１４】  図２において、フッ素樹脂フィルムＢである。
【００１５】  図３において、シリコーン繊維Ｃである。
【００１６】  図４において、シリコーンフィルムＤである。
【００１７】  図５において、フッ素樹脂繊維Ａと繊維Ｅとを結合させて一体化したものである。
【００１８】  図６において、フッ素樹脂繊維ＡとフィルムＦとを結合させて一体化したものである。
【００１９】  図７において、フッ素樹脂フィルムＢと繊維Ｅとを結合させて一体化したものである。
【００２０】  図８において、フッ素樹脂フィルムＢとフィルムＦとを結合させて一体化したものである。
【００２１】  図９において、シリコーン繊維Ｃと繊維Ｅとを結合させて一体化したものである。
【００２２】  図１０において、シリコーン繊維ＣとフィルムＦとを結合させて一体化したものである。
【００２３】  図１１において、シリコーンフィルムＤと繊維Ｅとを結合させて一体化したものである。
【００２４】  図１２において、シリコーンフィルムＤとフィルムＦとを結合させて一体化したものである。
【００２５】  図１３において、フッ素樹脂繊維、フッ素樹脂フィルム、シリコーン繊維又はシリコーンフィルムＧの一種又は複数種を既存の傘Ｈに結合させて一体化したものである。
【００２６】  図１、図２、図３及び図４において、フッ素樹脂繊維Ａ、フッ素樹脂フィルムＢ、シリコーン繊維Ｃ又はシリコーンフィルムＤの一種又は複数種を、傘、レーン・コート、レーン・シューズ、レーン・ハット、スキーウェア又はバッグ等の生地として使用したものである。
【００２７】  図５、図７、図９、及び図１１において、フッ素樹脂繊維Ａ、フッ素樹脂フィルムＢ、シリコーン繊維Ｃ又はシリコーンフィルムＤの一種又は複数種を、繊維と結合させて一体化したもので、傘、レーン・コート、レーン・シューズ、レーン・ハット、スキーウェア又はバッグ等の生地として使用したものである。
【００２８】  図６、図８、図１０及び図１２において、フッ素樹脂繊維Ａ、フッ素樹脂フィルムＢ、シリコーン繊維Ｃ又はシリコーンフィルムＤの一種又は複数種を、フィルムと結合させて一体化したもので、傘、レーン・コート、レーン・シューズ、レーン・ハット、スキーウェア又はバッグ等の生地として使用したものである。
【００２９】  図１３において、フッ素樹脂繊維、フッ素樹脂フィルム、シリコーン繊維又はシリコーンフィルムＧの一種又は複数種を、既存の、傘、レーン・コート、レーン・シューズ、レーン・ハット、スキーウェア又はバッグ等Ｈの生地の表面に結合させて一体化したもので、一例として傘を挙げているものである。
【実施例】
【００３０】  発明の実施例を図面参照して説明する。
第１の実施例、図１において、フッ素樹脂繊維Ａは、ポリ４−フッ化エチレンで、厚さが０．３ｍｍで平織りである。【００３１】  第２の実施例、図２において、フッ素樹脂フィルムＢは、ポリ４−フッ化エチレンで、厚さが０．２ｍｍである。【００３２】  第３の実施例、図３において、シリコーン繊維Ｃは、ポリジメチルシロキサンで、厚さが０．４ｍｍで平織りである。【００３３】  第４の実施例、図４において、シリコーンフィルムＤは、ポリジメチルシロキサンで、厚さが０．３ｍｍである。【００３４】  第５の実施例、図５において、フッ素樹脂繊維Ａと繊維Ｅとを加熱して結合させて一体化したものである。フッ素樹脂繊維Ａは、ポリ４−フッ化エチレンで、厚さが０．３ｍｍで平織りである。繊維Ｅは、ナイロン６６で、厚さが０．５ｍｍで平織りである。【００３５】  第６の実施例、図６において、フッ素樹脂繊維ＡとフィルムＦとを接着剤で結合させて一体化したものである。フッ素樹脂繊維Ａは、ポリ４−フッ化エチレンで、厚さが０．３ｍｍで平織りである。フィルムＦは、ナイロン６６で、厚さが０．４ｍｍである。【００３６】  第７の実施例、図７において、フッ素樹脂フィルムＢと繊維Ｅとを接着剤で結合させて一体化したものである。フッ素樹脂フィルムＢは、ポリ４−フッ化エチレンで、厚さが０．２ｍｍである。繊維Ｅは、ポリプロピレンで、厚さが０．５ｍｍで平織りである。【００３７】  第８の実施例、図８において、フッ素樹脂フィルムＢとフィルムＦとを圧縮して結合させて一体化したものである。フッ素樹脂フィルムＢは、ポリ４−フッ化エチレンで、厚さが０．２ｍｍである。フィルムＦは、ポリプロピレンで、厚さが０．４ｍｍである。【００３８】  第９の実施例、図９において、シリコーン繊維Ｃと繊維Ｅとを接着剤で結合させて一体化したものである。シリコーン繊維Ｃは、ポリジメチルシロキサンで、厚さが０．４ｍｍで平織りである。繊維Ｅは、絹で、厚さが０．５ｍｍで平織りである。【００３９】  第１０の実施例、図１０において、シリコーン繊維ＣとフィルムＦとを加熱して結合させて一体化したものである。シリコーン繊維Ｃは、ポリジメチルシロキサンで、厚さが０．４ｍｍで平織りである。フィルムＦは、ナイロン６６で、厚さが０．５ｍｍである。【００４０】  第１１の実施例、図１１において、シリコーンフィルムＤと繊維Ｅとを接着剤で結合させて一体化したものである。シリコーンフィルムＤは、ポリジメチルシロキサンで、厚さが０．３ｍｍである。繊維Ｅは、綿で、厚さが０．６ｍｍで平織りである。【００４１】  第１２の実施例、図１２において、シリコーンフィルムＤとフィルムＦとを加熱して結合させて一体化したものである。シリコーンフィルムＤは、ポリジメチルシロキサンで、厚さが０．３ｍｍである。フィルムＦは、ナイロン６６で、厚さが０．４ｍｍである。【００４２】  第１３の実施例、図１３において、フッ素樹脂繊維Ｇは、ポリ４−フッ化エチレンで、厚さが０．２ｍｍのものを、既存の傘Ｈに接着剤で結合させて一体化したものである。【００４３】  第１４の実施例、図１３において、シリコーンフィルムＧは、ポリジメチルシロキサンで、厚さが０．３ｍｍのものを、既存の傘Ｈに接着剤で結合���せて一体化したものである。
【産業上の利用可能性】
【００４４】  総務省統計局の平成１７年５月１日現在の人口推計概算値は、１億２７５８万人であるとなっている。例えば、この傘を、人口の１割の人が１年間に１本購入すると、１２７５万本の販売が見込める。１本単価１０００円だとすると、１２７億５千万円の販売額が見込め、その２５％を利益とすると、２５億５千万円の利益が見込める。また、他の商品についても、高額の利益を見込む事ができる。
【図面の簡単な説明】
【００４５】
【図１】本発明の実施例を示す断面図である。
【図２】本発明の実施例を示す断面図である。
【図３】本発明の実施例を示す断面図である。
【図４】本発明の実施例を示す断面図である。
【図５】本発明の実施例を示す断面図である。
【図６】本発明の実施例を示す断面図である。
【図７】本発明の実施例を示す断面図である。
【図８】本発明の実施例を示す断面図である。
【図９】本発明の実施例を示す断面図である。
【図１０】本発明の実施例を示す断面図である。
【図１１】本発明の実施例を示す断面図である。
【図１２】本発明の実施例を示す断面図である。
【図１３】本発明の実施例を示す斜視図で、既存の傘Ｈにフッ素樹脂繊維、フッ素樹脂フィルム、シリコーン繊維又はシリコーンフィルム、の一種又は複数種を結合させて一体化した状態である。
【符号の説明】
【００４６】  Ａ：フッ素樹脂繊維。  Ｂ：フッ素樹脂フィルム。  Ｃ：シリコーン繊維。  Ｄ：シリコーンフィルム。  Ｅ：繊維。  Ｆ：フィルム。  Ｇ：フッ素樹脂繊維、フッ素樹脂フィルム、シリコーン繊維又はシリコーンフィルム、の一種又は複数種を使用。  Ｈ：傘。
【図１】
2006348452.tif 000003
【図２】
2006348452.tif 000004
【図３】
2006348452.tif 000005
【図４】
2006348452.tif 000006
【図５】
2006348452.tif 000007
【図６】
2006348452.tif 000008
【図７】
2006348452.tif 000009
【図８】
2006348452.tif 000010
【図９】
2006348452.tif 000011
【図１０】
2006348452.tif 000012
【図１１】
2006348452.tif 000013
【図１２】
2006348452.tif 000014
【図１３】
2006348452.tif 000015